(57)【要約】      （修正有）【課題】遊技球が振り分けられるまでかかる結果を予想することが困難となるようにして、遊技者の遊技中の興趣を維持しかつ高揚せしめる遊技装置における遊技球の振り分け機構を提供する。【解決手段】遊技機における遊技球の振り分け機構であって、前記遊技機の遊技盤面に対して平行若しくは傾斜して上下方向に伸びる回転軸を中心として回転する回転円盤２４と、前記回転円盤の上部の主面上に前記遊技球を導く導入路と、を含み、前記回転円盤は、その周方向に沿って並んだ複数の貫通孔２６ａ〜を有し、前記貫通孔の少なくとも1つが入賞口であり、前記主面は、少なくとも1つの突部２７を有することを特徴とする。【選択図】図２
2008110142.tif 000002
【特許請求の範囲】
【請求項１】
遊技機における遊技球の振り分け機構であって、
前記遊技機の遊技盤面に対して平行若しくは傾斜して上下方向に伸びる回転軸を中心として回転する回転円盤と、前記回転円盤の上部の主面上に前記遊技球を導く導入路と、を含み、
前記回転円盤は、その周方向に沿って並んだ複数の貫通孔を有し、前記貫通孔の少なくとも1つが入賞口であり、
前記主面は、少なくとも1つの突部を有することを特徴とする振り分け機構。
【請求項２】
前記主面は、前記貫通孔の間に突部を有することを特徴とする請求項1に記載の振り分け機構。
【請求項３】
前記主面は、更に凹凸を有することを特徴とする請求項1に記載の振り分け機構。
【請求項４】
前記主面は、中央部が膨出している膨出形状であることを特長とする請求項1に記載の振り分け機構。
【請求項５】
前記主面は、平坦であることを特長とする請求項1に記載の振り分け機構。
【請求項６】
前記回転円盤の前記回転軸は、遊技盤面に対して45度以内に傾斜していることを特長とする請求項1に記載の振り分け機構。
【請求項７】
前記主面は、周方向に伸びる段差を有することを特徴とする請求項1乃至3のいずれか1に記載の振り分け機構。
【発明の詳細な説明】
【技術分野】
【０００１】
本発明は、遊技装置の遊技盤上に打ち出された遊技球の振り分け機構に関する。
【背景技術】
【０００２】
従来、パチンコ機に代表される弾球遊技装置には、いわゆる役物と呼ばれる入賞装置に供給される遊技球の振り分け先の良し悪しを遊技のポイントにするものが知られている。より具体的に記載すると、かかる遊技装置は、所定の入賞口を通過した遊技球を振り分け機構で複数の通路のうちいずれかかに振り分けて、特定の通過口を遊技球が通過したときに、所定数の賞球を払い出したり、特定遊技を開始したり、あるいは遊技盤面に設けられた表示部の遊技画像の変動を開始したりするものである。
【０００３】
かかる振り分け機構としては、振り分けを行う機構体の形状を利用するもの、磁石を利用するもの、モータ等の電気的駆動手段を用いるもの、あるいはこれらを組み合わせたものがある。近年、遊技球の振り分け先を電気的に制御するために、電気的駆動手段が多用された振り分け機構が主に開発されている。
【０００４】
例えば、モータ等の電気的駆動手段と構造体とを組み合わせたものとして、回転体を用いた振り分け機構が知られている（特許文献1及び2参照）。特許文献1に記載された振り分け機構は、回転板及び段差を構成する薄型錐体等から構成されている回転体並びに該回転体を回転せしめる回転機構等を有している。回転板の回転中心軸と薄型錐体の中心は異なる位置にあるため、回転体の回転に伴い該回転体の表面上の凹凸は、回転体の回転周期で変位することが可能となっている。従って、回転体は、導入された遊技球を自身の凹凸の変位により様々な方向へ振り分け、特定入賞口又は一般入賞口へ導いている。
【０００５】
特許文献2に記載の振り分け機構は、一般入賞口と特定入賞口とを備えた回転体及び該回転体を回転せしめる駆動体を有している。一般入賞口と特定入賞口とは、回転体に設けられた突起状の隔離部材によって隔離され、一定方向からのみの入賞が可能となっている。遊技球は、回転体近傍に設けられた遊技球導入路によって、回転体の外周部又は上部から回転体に導入され、一般入賞口又は特定入賞口に導かれる。
【特許文献１】特開平8-336639号公報
【特許文献２】特開2004-129715号公報
【発明の開示】
【発明が解決しようとする課題】
【０００６】
特許文献1及び2に記載の振り分け機構は、回転体の形状及び構造に応じて振り分けられる構成になっている。その結果、かかる振り分け機構が備えられたパチンコ機を操作する遊技者は、遊技球が回転体に導入される時点に、回転体における遊技球の位置に応じて最終的な振り分け先を完全に予測することが出来てしまうという問題がある。
【０００７】
すなわち、遊技球が最終的に振り分けられる前に、振り分け結果が遊技者に予想されることとなり、また回転体における遊技球の位置が遊技者にとって不利な結果を提供することを遊技者に予想させると、振り分けによる最終結果が得られる前の早期段階で遊技球の振り分けに対する遊技者の関心が失われてしまう。結果的に、パチンコ機に対する魅力が低下することとなっていた。
【０００８】
本発明は、以上の如き事情に鑑みてなされたものであり、遊技球が振り分けられるまでかかる結果を予想することが困難となるようにして、遊技者の遊技中の興趣を維持しかつ高揚せしめる遊技装置の遊技球の振り分け機構を提供することを目的としている。
【課題を解決するための手段】
【０００９】
遊技機における遊技球の振り分け機構であって、前記遊技機の遊技盤面に対して平行若しくは傾斜して上下方向に伸びる回転軸を中心として回転する回転円盤と、前記回転円盤の上部の主面上に前記遊技球を導く導入路と、を含み、前記回転円盤は、その周方向に沿って並んだ複数の貫通孔を有し、前記貫通孔の少なくとも1つが入賞口であり、前記主面は、少なくとも1つの突部を有することを特徴とする。
【発明を実施するための最良の形態】
【００１０】
以下、本発明の実施例としてのパチンコ機について、添付図面を参照しつつ詳細に説明する。
（実施例1）
図1に示す如く、パチンコ機10は、本体基部となる本体枠11と、本体枠11の内部に配置された遊技盤12と、遊技盤12の前方に設けられていて本体枠11に対して開閉自在な前面枠13と、を有する。遊技盤12は、その盤面上にガイドレール14で囲まれた遊技領域12aを備えており、かかる遊技領域12aに向けて遊技球が打ち出される。
【００１１】
前面枠13の下方には、下扉枠15が設けられている。下扉枠15には、遊技者が保有する遊技球を収容する受け皿15aと、遊技球の発射の制御および発射強度を制御するためのハンドル16と、が設けられている。ハンドル16は、パチンコ機10の右側部に配置されておりかつ遊技者が握りやすいように下扉枠15の表面高さから突出している。ハンドル16には、人体が触れることに応答して接触信号を生成する接触検知センサ（図示せず）が設けられている。当該接触検知センサから出力される接触信号は、パチンコ機10の背面側に設けられた制御装置（図示せず）に入力される。
【００１２】
また、ハンドル16には、所定の角度範囲内で回動自在な打出調整部17が設けられている。打出調整部17は、パチンコ機10の背面側に設けられた遊技球の発射装置（図示せず）を駆動せしめることによる操作スイッチとなっており、打出調整部17を基準位置から時計回り方向に回動せしめることによって該発射装置が作動するようになっている。打出調整部17は、バネ等の弾性体により反時計回り方向への付勢力が付与されており、待機状態においては基準位置に位置している。基準位置とは打ち出し調整部17の回動量がゼロである位置をいい、かかる位置に打出調整部17が位置している場合には、遊技球は遊技盤12の遊技領域12aに打ち出されないようになっている。
【００１３】
遊技盤12には、遊技球の流下方向を変化せしめる遊技釘が植設され、更には、風車等の役物（図示せず）が飛び飛びに設けられており、また最下部には入賞しなかった遊技球を回収するアウト口（図示せず）が設けられている。
【００１４】
また、遊技盤12のほぼ中央には、センター役物が設けられており、例えばセンター役物は、いわゆる特別電動役物等の入賞領域を有する入賞装置18である。入賞装置18は、当該機構内への遊技球の通過の許否を振り分ける1対の羽根19a、19b並びに、遊技盤12の盤面に対して平行若しくは傾斜（例えば、約45度以内）した回転軸を中心軸として回転する可動部20及び、可動部20の主面上に遊技球を導入する導入路21から構成される遊技球振り分け機構22を有する。なお、可動部20の回転軸は、可動部20の中心に存在しても良い。
【００１５】
羽根19a、19bは、遊技盤12に設けられた始動口すなわちチャッカー23a、23b、23cを通過することを契機として開閉することとしても良い。例えば、各チャッカーには、通過検知センサ（図示せず）が備えられ、遊技球の球検知信号を後述する制御装置に送信することを可能とし、制御装置は、メインチャッカー23aの球検知信号を受信した場合には羽根19a、19bを2回開き、サブチャッカー23b、23cの球検知信号を場合には羽根19a、19bを1回開くことしても良い。羽根19a、19bが開状態にあるときに、遊技球はより容易に入賞装置18内に遊技球を導くことが可能になる。
【００１６】
羽根19a、19bから入賞装置18に導かれた遊技球は、導入路21を経て可動部20に導かれる。例えば導入路21は、羽根19a、19bから可動部20の主面中央の上方までに至り、可動部20の主面に対して垂直方向に伸び、途中から羽根19a、19bに向かって2方向に分かれる構造であっても良い。また、導入路21は、各羽根から可動部20の主面の上方にまで至る複数の通路であっても良い。
【００１７】
可動部20の底面には、可動部20を回転させるため駆動ロッド（図示せず）が固着されている。駆動ロッドは、モータやギヤ列（いずれも図示せず）から成る駆動機構により回転駆動される。従って、可動部20は、駆動機構の回転周期（例えば1/10秒）にて回転する。
【００１８】
また、可動部20の底面には、後述する貫通孔を通過した遊技球をパチンコ機10の外部へ排出するための通路（図示せず）等を設けても良い。
【００１９】
次に、図2を参照しつつ可動部20の1例について詳細に説明する。図2から判るように、可動部20は、回転円盤24と、回転円盤24からの遊技球の飛び出し防止のために回転円盤24の外周に沿って設けられた側壁25等と、から構成されている。回転円盤24の主面は、中央部が膨出している膨出形状である。回転円盤24には、主面の外周近傍において周方向に順に並んで貫通孔26a〜26hを有している。貫通孔26a〜26hは、遊技球が通過可能な大きさである。また、貫通孔26a〜26hは、遊技球が回転円盤24の主面上に滞留しないような大きさとしても良い。回転円盤24の主面には、各貫通孔26a〜26h間に側壁25から回転円盤24の中心に向かって伸びる突部27が設けられている。従って、各貫通孔26a〜26hは突部27によって仕切られている。また、突部27は、回転円盤24の主面に導入された遊技球が越えることが可能な高さである。
【００２０】
従って、遊技球は、回転円盤24の膨出形状の主面及び回転円盤24の回転により、突部27を越えたり越えなかったりしながら貫通孔26a〜26hの何れかを通過することとなる。遊技球が突部27を越えたり越えなかったりすることで、通過する貫通孔が異なるため、遊技球が貫通孔を通過するまで遊技者に興味を引き付けることが可能となる。
【００２１】
貫通孔26aは特定入賞口（すなわちVゾーン）であり、貫通孔26b〜26hは一般入賞口である。特定入賞口である貫通孔26aには、特定入賞球検知センサ（図示せず）が設けられ、一般入賞口である貫通孔26b〜26hには、一般入賞球検知センサ（図示せず）が設けられている。
【００２２】
遊技球が特定入賞口である貫通孔26aを通過すると、特定入賞球検知センサは球検知信号を後述する制御装置に供給し、制御装置は、遊技者に有利な特定遊技状態（大当たり遊技状態ともいう）が提供されるようにパチンコ機10を駆動する。ここで特定遊技状態とは、パチンコ機10が短時間に大量の賞球を払い出すチャンスを遊技者に付与している状態を言い、例えば、羽根19a、19bを複数回にわたって開閉させて遊技球を入賞装置18内へ導き易くしている状態をいう。羽根19a、19bを開閉させる場合、制御装置は、羽根開閉機構（図示せず）に開閉駆動信号を供給する。
【００２３】
また、遊技球が一般入賞口である貫通孔26b〜26hを通過すると、該一般入賞球検知センサは球検知信号を後述する制御装置に供給し、この制御装置は賞球払出装置（図示せず）に払出信号を供給する。賞球払出装置は、該払出信号に応じて、所定数の賞球を遊技者に払い出す。
【００２４】
次に、本実施例のパチンコ機10の制御装置について図3を参照しながら説明する。図3に示す如く、パチンコ機10には、マイクロコンピュータ等からなる制御装置30が設けられている。制御装置30は、電源31から電源供給ラインが接続されている。また、制御装置30は、各チャッカーに設けられた通過検知センサ32a〜32c、貫通孔26aに設けられた特定入賞球検知センサ33a及び貫通孔26b〜26hに設けられた一般入賞球センサ33b〜33hからの球検知信号を受信する。さらに、制御装置30は、ハンドル16に設けられた接触検知センサ34及び打出調整部17からハンドル16の操作状況の信号を受信する。
【００２５】
制御装置30は、通過検知センサ32a〜32c又は特定入賞検知センサ33aからの球検知信号に応じて、羽根19a、19bを駆動させる羽根開閉機構35を制御する。また、制御装置30は、接触検知センサ34及び打出調整部17からの信号に基づいて発射装置36を駆動させる。さらに、制御装置30は、遊技状態の変化に伴ってランプ等の電飾装置37、大当たり状態時に賞球を払い出す賞球払出装置38、遊技状態に異常が発生した時に異常を告知する異常告知装置39等を制御する。
【００２６】
以上のように、本発明の実施例の遊技装置は、遊技球自身の運動性を利用した振り分け機構を備えているため、遊技球の振り分け結果に変化を生ぜしめ、遊技者の興趣を維持しかつ高揚せしめることが可能となっている。
（実施例2）
また、回転円盤は主面が水平な形状であっても良く、かかる変形例を図4を参照しつつ説明する。
【００２７】
図4から判るように、可動部40は、回転円盤41と、回転円盤41からの遊技球の飛び出し防止のために回転円盤41の外周に沿って設けられた側壁42等と、から構成されている。回転円盤41の主面は、凹凸が無く平坦である。回転円盤41には、主面の外周近傍において周方向に順に並んで貫通孔43a〜43hを有している。貫通孔43a〜43hは、遊技球が通過可能な大きさである。回転円盤41の主面には、各貫通孔43a〜43h間に側壁42から回転円盤41の中心に向かって伸びる突部44が設けられている。従って、各貫通孔43a〜43hは突部44によって仕切られている。また、突部44は、回転円盤41の主面に導入された遊技球が越えることが可能な高さである。従って、回転円盤41の回転により遊技球は、突部44を越えながら貫通孔43a〜43hの何れかを通過することとなる。
【００２８】
また、上述した実施例と同様に、貫通孔43aは特定入賞口（すなわちVゾーン）であり、貫通孔43b〜43hは一般入賞口である。さらに、貫通孔43aには、特定入賞球検知センサ（図示せず）が設けられ、その他の貫通孔43b〜43hには、一般入賞球検知センサ（図示せず）が設けられている。
【００２９】
回転円盤41の主面が水平な形状の面であるため、遊技球が貫通孔43a〜43hのいずれかを通過せずに回転円盤41の主面上に滞留してしまう可能性がある。かかる滞留を防止するために、上述したように回転軸を45度以内に傾けて遊技球を回転円盤41の外周方向に流下するようにしても良い。
（実施例3）
回転円盤の主面は、凹凸及び周方向に伸びる段差を有しても良く、その1例を図5を参照しつつ説明する。
【００３０】
図5から判るように、可動部50は、自身の主面が扁平である回転円盤51と、回転円盤51からの遊技球の飛び出し防止のために回転円盤51の外周に沿って設けられた側壁52等と、から構成されている。例えば回転円盤51の主面には、回転円盤51の中心から所定の半径の円盤体53を有することで、回転円盤51の主面と、円盤体53の主面との間に、周方向に伸びる段差54が生させても良い。かかる円盤体53の主面は、中央部が膨出している膨出形状でありかつ、複数の凹凸55を有していても良い。また、回転円盤51には、主面の外周近傍において周方向に順に並んで貫通孔56a〜56hを有している。貫通孔56a〜56hは、遊技球が通過可能な大きさである。回転円盤51の主面には、各貫通孔56a〜56h間に側壁52から円盤体53に向かって伸びる突部57a〜57hが設けられている。従って、各貫通孔56a〜56hは突部57a〜57hによって仕切られている。
【００３１】
従って、遊技球は、円盤体53の略中央部に導入され、回転円盤51の回転及び円盤体53の凹凸55によって様々な方向へ振り分けられ、回転円盤51に設けられた貫通孔56a〜56hのいずれかを通過することとなる。
【００３２】
また、上述した実施例と同様に、貫通孔56aは特定入賞口（すなわちVゾーン）であり、貫通孔56b〜56hは一般入賞口である。さらに、特定入賞口である貫通孔56aには、特定入賞球検知センサ（図示せず）が設けられ、一般入賞口である貫通孔56b〜56hには、一般入賞球検知センサ（図示せず）が設けられている。
【００３３】
（実施例4）
貫通孔を回転円盤の中心近傍において周方向に順に並んで設けても良く、その1例を図6を参照しつつ説明する。
【００３４】
図6から判るように、可動部60は、自身の主面が扁平である回転円盤61と、回転円盤61からの遊技球の飛び出し防止のために回転円盤61の外周に沿って設けられた側壁62等と、から構成されている。回転円盤61の主面は、中止に向かって勾配のある面である。また、図6bから判るように、回転円盤61の中心部分は、かかる中心部分における遊技球の滞留を防止し、後述する貫通孔のいずれかを通過するように中央部が膨出した膨出形状である。回転円盤61には、主面の中心近傍において周方向に順に並んで貫通孔63a〜63hを有している。貫通孔63a〜63hは、遊技球が通過可能な大きさである。回転円盤61の主面には、各貫通孔63a〜63h間に側壁62から回転円盤61の中心に向かって伸びる突部64a〜64hが設けられている。従って、各貫通孔63a〜63hは突部64a〜64hによって仕切られている。また、突部64a〜64hは、回転円盤61の主面に導入された遊技球が越えることが可能な高さである。さらに、回転円盤61の主面には複数の突起65を設けてもよい。
【００３５】
従って、回転円盤61に導入された遊技球は、回転円盤61の回転、突部64a〜64h及び突起65によって様々方向へ振り分けられ、何れかの貫通孔63a〜63hを通過することとなる。
【００３６】
また、上述した実施例と同様に、貫通孔63aは特定入賞口（すなわちVゾーン）であり、貫通孔63b〜63hは一般入賞口である。さらに、特定入賞口である貫通孔63aには、特定入賞球検知センサ（図示せず）が設けられ、一般入賞口である貫通孔63b〜63hには、一般入賞球検知センサ（図示せず）が設けられている。
【００３７】
また、遊技球を回転円盤61の外周近傍に導入させるように、導入路21を回転円盤61の外周上部から羽根19a、19bに向かって伸びるように設けても良い。
【図面の簡単な説明】
【００３８】
【図１】本発明の実施例としての遊技装置の外観正面図である。
【図２】（a）は本発明による可動部の平面図、（b）は図2（a）の2b-2b一点鎖線に沿った断面を示す断面図、（c）は本発明による可動部の斜視図である。
【図３】本発明の実施例による遊技装置の制御系のブロック図である。
【図４】（a）は本発明の変形例としての可動部の平面図、（b）は図4（a）の4b-4b一点鎖線に沿った断面を示す断面図、（c）は本発明の変形例としての可動部の斜視図である。
【図５】（a）は本発明の変形例としての可動部の平面図、（b）は図5（a）の5b-5b一点鎖線に沿った断面を示す断面図、（c）は本発明の変形例としての可動部の斜視図である。
【図６】（a）は本発明の変形例としての可動部の平面図、（b）は図6（a）の6b-6b一点鎖線に沿った断面を示す断面図である。
【符号の説明】
【００３９】
10    パチンコ機（遊技装置）
12    遊技盤
20    可動部
21    導入路
22    振り分け機構
24    回転円盤
26a   貫通孔、特定入賞口
26b〜26h    貫通孔、一般入賞口
27    突部
【図１】
2008110142.tif 000003
【図２】
2008110142.tif 000004
【図３】
2008110142.tif 000005
【図４】
2008110142.tif 000006
【図５】
2008110142.tif 000007
【図６】
2008110142.tif 000008